(57)【要約】【課題】ユーザーが、センサの周囲の漏液状況をより詳細に把握することができるような漏液検知器を提供する。【解決手段】漏液検知器は、複数のセンサを有し、センサの位置に存在する液体の量に応じた出力値を出力する漏液検知部と、漏液検知部の出力値に基づいて漏液の有無を判定する処理部と、を備え、処理部は、各々のセンサにて漏液の検知がなされた時間的要素に基づいて、センサの周囲の漏液状況を推定する。【選択図】図３
2019184469.tif 000002
【特許請求の範囲】
【請求項１】
複数のセンサを有し、前記センサの位置に存在する液体の量に応じた出力値を出力する漏液検知部と、
前記漏液検知部の前記出力値に基づいて漏液の有無を判定する処理部と、を備え、
前記処理部は、各々の前記センサでの漏液の検知に関わる時間的要素に基づいて、前記センサの周囲の漏液状況を推定する、漏液検知器。
【請求項２】
前記処理部は、漏液が発生している位置を推定する、請求項１に記載の漏液検知器。
【請求項３】
前記処理部は、複数の前記センサの位置情報を記憶する記憶部を備え、
前記処理部は、前記記憶部に記憶された情報を用いて推定を行う、請求項１又は２に記載の漏液検知器。
【請求項４】
前記記憶部は、漏液が生じ得る漏液源の位置情報を記憶している、請求項３に記載の漏液検知器。
【請求項５】
前記記憶部は、複数の前記センサと前記漏液源との間の位置関係を記憶している、請求項４に記載の漏液検知器。
【請求項６】
前記処理部は、複数の前記センサのうち、漏液が生じ得る漏液源と第１のセンサとの間の距離と前記漏液源と第２のセンサとの間の距離の差、及び前記第１のセンサと前記第２のセンサとの漏液の検知タイミングの差に基づいて、漏液の量を推定する、請求項１〜５の何れか一項に記載の漏液検知器。
【請求項７】
複数の前記センサは、上下方向において異なる位置に配置されている、請求項１〜６の何れか一項に記載の漏液検知器。
【請求項８】
複数の前記センサとして第３のセンサと、前記第３のセンサよりも漏液が生じ得る漏液源に対して近くに配置された第４のセンサと、を備え、
前記処理部は、前記第３のセンサ及び前記第４のセンサが漏液を検知し、且つ、前記第３のセンサが先に漏液を検知した場合、前記センサのクリーニングを行う旨の注意喚起をする、請求項１〜７の何れか一項に記載の漏液検知器。
【発明の詳細な説明】
【技術分野】
【０００１】
本発明は、漏液検知器に関する。
【背景技術】
【０００２】
センサの位置に存在する液体の量に応じた出力値に基づいて漏液を検知する漏液検知器が知られている。このような漏液検知器として、特許文献１に示すものが知られている。この漏液検知器は、センサで測定された出力値と所定の閾値とを比較することによって、漏液の有無を判定することができる。
【先行技術文献】
【特許文献】
【０００３】
【特許文献１】特公平７−１１９６６４号公報
【発明の概要】
【発明が解決しようとする課題】
【０００４】
ここで、上述の漏液検知器は、センサが漏液を検知したかどうかということを把握することができるだけであり、センサの周囲の漏液状況までを取得することはできなかった。従って、ユーザーが、センサの周囲の漏液状況をより詳細に把握することができるような漏液検知器が求められていた。
【課題を解決するための手段】
【０００５】
本発明の一形態に係る漏液検知器は、複数のセンサを有し、センサの位置に存在する液体の量に応じた出力値を出力する漏液検知部と、漏液検知部の出力値に基づいて漏液の有無を判定する処理部と、を備え、処理部は、各々のセンサでの漏液の検知に関わる時間的要素に基づいて、センサの周囲の漏液状況を推定する。
【０００６】
この漏液検知器において、処理部は、各々のセンサでの漏液の検知に関わる時間的要素に基づいて、センサの周囲の漏液状況を推定する。ある漏液源にて漏液が発生した場合、液体は漏液源から遠ざかる方向へ向かって移動する。従って、複数のセンサが設置されていた場合、漏液源に近いセンサが漏液を検知し、その後、漏液源から遠いセンサが漏液を検知する。このような関係性を考慮することで、処理部は、各々のセンサでの漏液の検知に関わる時間的要素に基づくことで、センサの周囲においてどのように漏液が発生しているかの漏液状況を推定することができる。これにより、ユーザーは、センサの周囲の漏液状況をより詳細に把握することができる。
【０００７】
処理部は、漏液が発生している位置を推定してよい。
【０００８】
処理部は、複数のセンサの位置情報を記憶する記憶部を備え、処理部は、記憶部に記憶された情報を用いて推定を行ってよい。
【０００９】
記憶部は、漏液が生じ得る漏液源の位置情報を記憶していてよい。
【００１０】
記憶部は、複数のセンサと漏液源との間の位置関係を記憶していてよい。
【００１１】
処理部は、複数のセンサのうち、漏液が生じ得る漏液源と第１のセンサとの間の距離と漏液源と第２のセンサとの間の距離の差、及び第１のセンサと第２のセンサとの漏液の検知タイミングの差に基づいて、漏液の量を推定してよい。
【００１２】
複数のセンサは、上下方向において異なる位置に配置されていてよい。
【００１３】
複数のセンサとして第３のセンサと、第３のセンサよりも漏液が生じ得る漏液源に対して近くに配置された第４のセンサと、を備え、処理部は、第３のセンサ及び第４のセンサが漏液を検知し、且つ、第３のセンサが先に漏液を検知した場合、センサのクリーニングを行う旨の注意喚起をしてよい。
【発明の効果】
【００１４】
本発明によれば、ユーザーが、センサの周囲の漏液状況をより詳細に把握することができるような漏液検知器。
【図面の簡単な説明】
【００１５】
【図１】本発明に係る漏液検知器の一実施形態を示す概略図である。
【図２】センサ部の一例を示す概略図である。
【図３】センサの配置例を示した概略構成図である。
【図４】記憶部に記憶されたデータテーブルの一例である。
【図５】センサの他の配置例を示した概略構成図である。
【図６】変形例に係る漏液検知器のセンサを示す概略図である。
【図７】変形例に係る漏液検知器の概略図である。
【図８】変形例に係る漏液検知器の概略図である。
【発明を実施するための形態】
【００１６】
以下、図面を参照しながら、本発明に係る漏液検知器の好適な実施形態について詳細に説明する。図１は、本発明に係る漏液検知器の一実施形態を示す概略図、図２は、センサの一例を示す概略図である。
【００１７】
図１に示されるように、漏液検知器１は、複数のセンサ１０と、コントローラ２０と、センサ１０及びコントローラ２０を接続するケーブル１３と、を備えている。漏液検知器１は、屋内又は屋外に設置され、液体の漏れを検知する機器である。特に、漏液検知器１は、導電性の液体の漏れを好適に検知する。
【００１８】
まず、図１のセンサ１０の構成について説明する。図２にはセンサ１０の詳細な構成が示されている。センサ１０には、電極対１１が外部に露出して設けられている。電極対１１は、互いに離間して配置された一対の電極１１ａ，１１ｂによって構成されている。電極１１ａ，１１ｂは、それぞれケーブル１３の端部に接続されている。センサ１０は、各電極１１ａ，１１ｂ間にそれぞれ接続された抵抗器１４を含んでいる。電極１１ａ，１１ｂは、それらの電極１１ａ，１１ｂ間に液体が存在する場合には、液体により電気的な回路を構成し、その結果、電極１１ａ，１１ｂの間の抵抗値が低下する。このように、センサ１０は、その電極１１ａ，１１ｂ間に存在する液体の量に応じた抵抗値を示す。なお、回路構成によっては、センサ１０は、抵抗器１４を含んでいなくともよい。
【００１９】
ケーブル１３は、信号線１３ａ及び信号線１３ｂによって構成されている。信号線１３ａは、その一端がコントローラ２０に接続され、その他端が電極１１ａに接続されている。信号線１３ｂは、その一端がコントローラ２０に接続され、その他端が電極１１ｂに接続されている。
【００２０】
複数のセンサ１０は、互いに離間した状態でコントローラ２０に接続される。図２に示す例においては、３つのセンサ１０が設けられているが、センサ１０の数は特に限定されず、２つでもよく４つ以上でもよい。センサ１０の詳細については後述する。各センサ１０は、それぞれのケーブル１３を介してコントローラ２０に接続される。
【００２１】
図１に示されるように、コントローラ２０は、ケーブル１３を介してセンサ１０に接続されている。コントローラ２０は、筐体（不図示）と、当該筐体に設けられた処理部２１、電力供給部２２、入力部２３、報知部２４及び複数の出力値取得部２５を有している。コントローラ２０は、一つのセンサ１０に対して一つの出力値取得部２５を有している。なお、センサ１０、ケーブル１３及び出力値取得部２５によって漏液検知部３０が構成される。また、出力値取得部２５の構成次第では、一つの出力値取得部２５に対して複数のセンサ１０が接続される場合があってもよい。
【００２２】
電力供給部２２は、外部電源と接続されている。交流電圧による外部電源を使用する場合、電力供給部２２は、例えばＡＣ／ＤＣコンバータ等を有し、外部電源からの交流電圧を所定の電位差を有する直流電圧に変換する。電力供給部２２は、出力値取得部２５を通じてセンサ１０の電極対１１の電力供給部２２側に所定の電圧を付与する。なお、電力供給部２２は、外部電源からの電力に限らず、内蔵バッテリからの電力によって電極対１１の片側に所定の電圧を付与してもよく、また、外部電源と内臓バッテリが併用されて電極対１１の片側に所定の電圧を付与してもよい。
【００２３】
更に出力値取得部２５は、センサ１０の電極対１１の電力供給部２２側の電極（例えば電極１１ａ）とは反対側の電極（例えば電極１１ｂ）に電気的に接続されている。出力値取得部２５は、その内部に、電力供給部２２から給電されるための電気回路から分岐し、分圧抵抗を介して接地される内部回路を有している。出力値取得部２５は、電極対１１の電源受側に電圧が付与されると、電極対１１間の抵抗値と、出力値取得部２５内の分圧抵抗の抵抗値と、によって決まる電圧値（すなわち、センサ１０の電極間に存在する液体の量に応じた電圧値）を取得し、処理部２１へ出力する。本実施形態では、この電圧値が、漏液検知部３０の出力値とされる。なお、漏液検知部３０の出力値としては、この電圧値そのものでなくてもよく、この電圧値に所定の演算処理を施した値としてもよい。また、本実施形態では出力値取得部２５が出力する出力値として電圧値が採用されているが、電流値であってもよく、抵抗値であってもよい。
【００２４】
処理部２１は、漏液検知部３０の出力値に基づいて漏液の有無を判定する。処理部２１は、まず、漏液が発生していない状態における漏液検知部３０の出力値に基づいて、漏液検知部３０の合成抵抗を取得する。具体的に、本実施形態では、処理部２１は、漏液が発生していない状態における漏液検知部３０の出力値である電圧値と、電力供給部２２により電極に付与される電圧値と、分圧抵抗の抵抗値と、に基づいて、漏液検知部３０における各センサ１０の合成抵抗を算出して取得する。ここで、「合成抵抗」とは、例えば漏液検知器に１つのセンサ１０のみが設けられている場合には、当該センサ１０の抵抗値そのものを指す。
【００２５】
処理部２１は、漏液が発生していない状態における漏液検知部３０の合成抵抗を取得すると、当該合成抵抗に基づき漏液閾値を設定する。このとき、処理部２１は、予め設定されたデータテーブルを用いて漏液閾値を設定する。データテーブルは、処理部２１に含まれる記憶部２６に記憶されている。データテーブルにおいて、漏液が発生していない状態における合成抵抗に基づく値と、漏液閾値と、が対応付けられている。
【００２６】
図１に示されるように、処理部２１は、出力値取得部２５から入力される漏液検知部３０の出力値に基づく値と、処理部２１により設定された漏液閾値と、を比較することで、漏液の有無を判定する。具体的に、本実施形態では、漏液検知部３０の出力値、電力供給部２２により電極に付与される電圧値、及び、分圧抵抗の抵抗値に基づいて処理部２１により算出され取得される合成抵抗と、漏液閾値と、を比較することで、漏液の有無を判定する。
【００２７】
報知部２４は、漏液検知部３０に関する情報を報知する。報知部２４は、ＬＥＤ等の発光部であってもよく、この場合、例えば報知すべき情報に予め割り当てられたＬＥＤの発光パターンで発光体が点滅してもよい。また、報知部２４は、液晶画面等の画像表示部であってもよく、この場合、例えば報知すべき情報を文字、記号、絵柄等に表した画像を画像表示部が表示してもよい。また、報知部２４は、例えば音声であってもよく、この場合、例えば報知すべき情報に予め割り当てられたチャイム、メロディを鳴らしてもよく、報知すべき情報についてのアナウンスを読み上げてもよい。
【００２８】
入力部２３は、作業者からの漏液検知器１に対する起動指示又は再起動指示の入力を受け付ける。入力部２３は、例えばスイッチ又はタッチパネルとしてもよい。入力部２３は、作業者からの漏液検知器１の起動指示又は再起動指示の入力を受け付けると、当該起動又は再起動指示を処理部２１へ出力する。入力部２３から起動又は再起動指示を入力された処理部２１は、漏液検知器１を起動又は再起動する。処理部２１は、漏液検知器１を起動又は再起動したときには、漏液が発生していない状態であるとして、そのときの漏液検知部３０の出力値に基づいて漏液検知部３０の合成抵抗を取得し、当該合成抵抗に基づき漏液閾値を設定する。なお、コントローラ２０に含まれる処理部２１、入力部２３、報知部２４、および記憶部２６といった構成要素は、必ずしも漏液検知部３０に近接した場所にある必要は無く、遠隔地に設けられ、電話回線・ネットワーク等の通信回線を経由して接続されていてもよい。かかる通信回線は、有線回線を使用することができ、また無線回線を使用することもできる。より具体的には、出力値取得部２５と処理部２１との間の接続が通信回線を介した接続となっていてもよく、入力部２３や報知部２４と処理部２１との間の接続が通信回線を介した接続となっていてもよく、また、記憶部２６が処理部２１と通信回線を介して接続されていても良い。さらに、電力供給部２２は、コントローラ２０内において1つに限定されるものではなく、処理部２１、入力部２３、報知部２４、出力値取得部２５、および記憶部２６といった構成要素毎に設けられていても良い。
【００２９】
次に、図３を参照して、本実施形態に係る漏液検知器１の特徴について、より詳細に説明する。本実施形態に係る漏液検知器１は、多数のセンサ１０からの出力値を統合して、監視対象となる領域に対して、高度な漏液検知判断を行うことができる。図３は、センサ１０の配置例を示した概略構成図である。漏液検知器１は、施設Ｅ１内に設置されており、当該施設Ｅ１内の全体の漏液状況の監視を行う。
【００３０】
図３に示すように、施設Ｅ１内では、漏液が発生し得る漏液源である漏液源Ｌ１〜Ｌ４が設けられている。漏液源Ｌ１，Ｌ３と漏液源Ｌ２，Ｌ４は、互いに離間した状態で配置されている。１２個のセンサ１０１〜１０１２は、漏液源Ｌ１，Ｌ３と、漏液源Ｌ２，Ｌ４との間に配置される。センサ１０１〜１０１２は二列をなすように千鳥状に配置されている。なお、親機であるコントローラ２０からは、子機１６が引き出されており、これらの子機１６からセンサ１０１〜１０１２が引き出されている。子機１６には、例えばセンサ１０１〜１０１２に対応した出力値取得部２５が設けられている。一例として、センサ１０１，１０２に接続された子機１６は、センサ１０１に対応する出力値取得部２５と、センサ１０２に対応する出力値取得部２５と、を備える。
【００３１】
処理部２１は、各々のセンサ１０１〜１０１２での漏液の検知に関わる時間的要素に基づいて、センサ１０１〜１０１２の周囲の漏液状況を推定する。周囲の漏液状況とは、漏液源の位置、漏液の方向（漏液の進行方向）、漏液度合い（漏液の進行速度）、漏液規模（漏液の量）など、どのような態様で漏液が発生しているかを示すものである。また、処理部２１は、時間的要素として、漏液の検知がなされた時刻、時間差などを考慮する。また、時刻などの具体的な数字のみならず、どのセンサ１０が先に漏水検知したかなどの検知順序などのシンプルな情報も時間的要素に含まれる。
【００３２】
具体的には、処理部２１は、漏れが発生している位置を推定する。例えば、処理部２１は、あるセンサ１０が漏液を検知すると、漏液源Ｌ１〜Ｌ４の中から、検知したセンサ１０の近くに配置された漏液源から漏液の可能性があることを推定する。その後で、他のあるセンサ１０が漏液を検知すると、処理部２１は、先に漏液を検知したセンサ１０と、後に漏液を検知したセンサ１０の順序に基づいて、漏液源Ｌ１〜Ｌ４のうちのどの漏液源で漏液が発生したか推定する。すなわち、処理部２１は、漏液を検知したセンサ１０の順序から、どの方向から液体が流れてきたかを推定できる。従って、処理部２１は、当該方向の上流側に存在する漏液源から漏液が発生したことを推定できる。
【００３３】
また、処理部２１は、複数のセンサ１０１〜１０１２のうち、漏液源とあるセンサ（第１のセンサ）１０との間の距離と漏液源と他のセンサ（第２のセンサ）１０との間の距離の差、及びあるセンサ１０と他のセンサ１０との漏液の検知タイミングの差に基づいて、漏液の量を推定する。すなわち、処理部２１は、始めに漏液を検知したセンサ１０の漏液源からの距離と次に漏液を検知したセンサ１０の漏液源からの距離、及び始めに漏液を検知したセンサ１０と次に漏液を検知したセンサ１０との検知タイミングの差とから、漏れた液体の進行速度を把握することができる。処理部２１は、漏れた液体の進行速度から、漏液の量を推定することができ、進行速度が遅いほど漏液の量が少なく、進行速度が速いほど漏液の量が多いと推定できる。
【００３４】
処理部２１は、記憶部２６に記憶された情報に基づいて推定を行う。記憶部２６は、複数のセンサ１０１〜１０１２の位置情報を記憶する。センサ１０１〜１０１２の位置情報とは、センサ１０の座標や、センサ１０間の距離など、センサ１０の位置を特定する情報である。記憶部２６は、漏液が生じ得る漏液源Ｌ１〜Ｌ４の位置情報を記憶している。漏液源Ｌ１〜Ｌ４の位置情報とは、漏液源Ｌ１〜Ｌ４の座標や、漏液源間の距離、離間方向など、漏液源Ｌ１〜Ｌ４の位置を特定する情報である。また、記憶部２６は、複数のセンサ１０１〜１０１２と漏液源Ｌ１〜Ｌ４の位置関係を記憶している。ここでの位置関係とは、センサ１０１〜１０１２と漏液源Ｌ１〜Ｌ４との間の距離や、離間方向を示す情報である。
【００３５】
処理部２１の具体的な処理の一例について説明する。まず、漏液検知器１の設置後には、ユーザーは、漏液源Ｌ１〜Ｌ４の位置情報を記憶部２６に登録する。また、ユーザーは、センサ１０１〜１０１２の位置情報を記憶部２６に登録する。例えば、記憶部２６には、図４（ａ）に示すように、漏液源Ｌ１〜Ｌ４の座標及びセンサ１０１〜１０１２の座標のデータテーブルが登録される。処理部２１は、このような情報から、各漏液源Ｌ１〜Ｌ４に対する各センサ１０１〜１０１２の距離を演算し、記憶部２６に記憶させる。例えば、記憶部２６には、図４（ｂ）に示されるようなデータテーブルが登録される。処理部２１は、測定開始後には、センサ１０１〜１０１２の出力値をそれぞれのセンサ１０１〜１０１２の位置情報に関連づける。
【００３６】
例えば、漏液源Ｌ１の漏液部Ｐ１から漏液が発生し、その後、漏液源Ｌ３の漏液部Ｐ２から漏液が発生した場合の処理部２１の動作について説明する。まず、センサ１０３が漏液を検知する。この場合、処理部２１は、図４（ｂ）のデータテーブルから、センサ１０３と最も近い漏液源が漏液源Ｌ１であることを把握する。この段階では、処理部２１は、結露によってセンサ１０３が漏液検知している可能性もあるため、漏液源Ｌ１で漏液が発生しているという推定を確定させていない。従って、処理部２１は、漏液源Ｌ１の周囲で漏液を検知しているという第一種の警報を報知部２４から出力する。次に、センサ１０５が漏液を検知したとする。このとき、処理部２１は、図４（ｂ）のデータテーブルから、センサ１０５が第一種の警報を発したときのセンサ１０３よりも漏液源Ｌ１から実質的に等しい距離か、または遠いことを把握する。これにより、処理部２１は、漏液源Ｌ１から漏れた液がセンサ１０３からセンサ１０５まで広がったことを把握し、漏液源Ｌ１から漏液が発生していると推定する。従って、処理部２１は、漏液源Ｌ１で漏液が発生しているという第二種の警報（第一種の警報よりも警報レベルが高い）を報知部２４から出力する。また、処理部２１は、センサ１０３とセンサ１０５との距離と、センサ１０３とセンサ１０５との検知時間の差から、漏液源Ｌ１からの漏液の進行速度（漏液度合い）を推定する。処理部２１は、漏液の度合いを報知部２４のモニタなどに表示してよい。処理部２１は、検知時間差を表示してもよく、警告レベルを表示してもよい。例えば、センサ１０３とセンサ１０５との検知時間の差が所定の閾値より小さい場合は、処理部２１は、漏れた液の進行度合いが大きいと判断し、高い警告レベルを表示する。
【００３７】
次に、センサ１０１が漏液を検知したとする。このとき、処理部２１は、図４（ａ）のデータテーブルから、センサ１０１は既に漏液検知しているセンサ１０３の周囲のセンサ１０であるため、同一の漏液源Ｌ１からの漏液であると判断する。次に、センサ１０４が漏液を検知したとする。このとき、処理部２１は、図４（ａ）のデータテーブルからセンサ１０４は、既に漏液検知しているセンサ１０３の周囲のセンサ１０であるため、同一の漏液源Ｌ１からの漏液であると判断する。ただし、センサ１０４は漏液源Ｌ２の周囲のセンサ１０にも属しているため、処理部２１は、漏液源Ｌ２からの漏液である可能性も考慮し、漏液源Ｌ２の周囲で漏液を検知しているという第一種の警報を報知部２４から出力する。
【００３８】
次に、センサ１０１１が漏液を検知したとする。処理部２１は、図４（ａ）のデータテーブルから、センサ１０１１と最も近い漏液源が漏液源Ｌ３であることを把握する。従って、処理部２１は、漏液源Ｌ３の周囲で漏液を検知しているという第一種の警報を報知部２４から出力する。その後、漏液源Ｌ３の近傍に配置され、漏液源Ｌ３との間の距離が、センサ１０１１と漏液源Ｌ３との間の距離と同等か遠い位置のセンサ１０（例えば、センサ１０９）で漏液が検知されたら、処理部２１は、漏液源Ｌ３で漏液が発生していると推定する。
【００３９】
次に、本実施形態に係る漏液検知器１の作用・効果について説明する。
【００４０】
この漏液検知器１において、処理部２１は、各々のセンサ１０での漏液の検知に関わる時間的要素に基づいて、センサ１０の周囲の漏液状況を推定する。ある漏液源にて漏液が発生した場合、液体は漏液源から遠ざかる方向へ向かって移動する。従って、複数のセンサ１０が設置されていた場合、漏液源に近いセンサが漏液を検知し、その後、漏液源から遠いセンサが漏液を検知する。このような関係性を考慮することで、処理部２１は、各々のセンサ１０での漏液の検知に関わる時間的要素に基づくことで、センサ１０の周囲においてどのように漏液が発生しているかの漏液状況を推定することができる。これにより、ユーザーは、センサ１０の周囲の漏液状況をより詳細に把握することができる。
【００４１】
処理部２１は、漏れが発生している位置を推定する。これにより、ユーザーは、漏液が発生している位置を速やかに特定することができる。
【００４２】
処理部２１は、複数のセンサ１０の位置情報を記憶する記憶部２６を備え、処理部２１は、記憶部２６に記憶された情報を用いて推定を行う。これにより、処理部２１は、センサ１０の位置情報を用いて推定を行うことができるため、センサ１０の周囲の漏液状況をより詳細に推定することができる。
【００４３】
記憶部２６は、漏液が生じ得る漏液源の位置情報を記憶している。このように、処理部２１は、漏液の発生位置の候補となる漏液源の位置情報を予め考慮した上で推定を行うことができるため、センサ１０の周囲の漏液状況をより詳細に推定することができる。
【００４４】
記憶部２６は、複数のセンサ１０と漏液源との間の位置関係を記憶していている。これにより、処理部２１は、どのセンサ１０が漏液源と近いかなどを考慮した上で、推定を行うことができる。例えば、ある漏液源に最も近いセンサ１０が漏液を検知すれば、当該漏液源にて漏液が生じていることを容易に推定することができる。従って、センサ１０の周囲の漏液状況をより詳細に推定することができる。
【００４５】
処理部２１は、複数のセンサ１０のうち、漏液源と第１のセンサ１０との間の距離と漏液源と第２のセンサとの間の距離の差、及び第１のセンサ１０と第２のセンサ１０との漏液の検知タイミングの差に基づいて、漏液の量を推定してよい。これにより、処理部２１は、漏液度合いを把握することができ、ユーザーに対する警告レベルを適宜調整することが可能となる。
【００４６】
本発明は上述の実施形態に限定されるものではない。
【００４７】
センサ１０の数量や配置は図３に限定されるものではない。例えば、センサ１０は二つだけであっても、処理部２１は周囲の漏液状況を推定することができる。例えば、二つの漏液源に挟まれた領域に二つのセンサ１０を配置しておけば、処理部２１は、各センサ１０の漏液検知の順序を把握することで、どちらの漏液源から漏液が発生しているかを推定することができる。
【００４８】
また、複数のセンサ１０は、上下方向において異なる位置に配置されてもよい。これにより、処理部２１は、漏液状況を三次元的に推定することができる。特に、処理部２１は、液体は高い位置から低い位置へ流れるという関係性を考慮する。
【００４９】
例えば、漏液検知器１は、図５に示す様な施設Ｅ２に配置されてもよい。図５に示すように、施設Ｅ２の四方には床面よりも高い位置に配置された漏液源Ｌ１，Ｌ２，Ｌ３，Ｌ４が設けられている。また、中央位置には床面に配置された漏液源Ｌ５，Ｌ６，Ｌ７，Ｌ８が設けられている。漏液源Ｌ１と同じ高さ位置（例えば１ｍ）にはセンサ１０１が配置され、漏液源Ｌ１の下方の床面にはセンサ１０２が配置される。漏液源Ｌ２と同じ高さ位置（例えば０．５ｍ）にはセンサ１０３が配置され、漏液源Ｌ２の下方の床面にはセンサ１０４が配置される。漏液源Ｌ３と同じ高さ位置（例えば１．５ｍ）にはセンサ１０５が配置され、漏液源Ｌ３の下方の床面にはセンサ１０６が配置される。漏液源Ｌ４と同じ高さ位置（例えば０．８ｍ）にはセンサ１０７が配置され、漏液源Ｌ４の下方の床面にはセンサ１０８が配置される。センサ１０２，１０４，１０６，１０８は、帯状に延びる電極形状を有している。施設Ｅ２の中央付近の領域は、四方をセンサ１０２，１０４，１０６，１０８によって囲まれる。施設Ｅ２の中央付近の領域には、床面に配置されたセンサ１０９が設けられる。
【００５０】
例えば、１ｍの高さ位置にあるセンサ１０１が漏液を検知した場合、処理部２１は、漏液源Ｌ１付近で漏液を検知したという第一種の警報を報知部２４から行う。次に、漏液源Ｌ１の下方の床面の位置のセンサ１０２が漏液を検知すると、処理部２１は、漏液源Ｌ１から漏液が発生し、漏れた液が床まで落ちてきたことを推定し、漏液源Ｌ１で漏液が発生しているという第二種の警報を報知部２４から行う。センサ１０１とセンサ１０２との検知時間の差により、漏液の量に関する警報を出す。
【００５１】
更に、センサ１０２と同じく床面に配置された他のセンサ１０４，１０６，１０８，１０９の何れかが漏液を検知すると、処理部２１は、漏液が進んでいることを推定し、床面に配置されたセンサ１０４，１０６，１０８，１０９全てが漏液を検知すれば、床面が冠水していることを推定する。
【００５２】
センサ１０１の漏液の検知がない状況で、床面のセンサ１０２が漏液を検知した場合は、処理部２１は、センサ１０２から近い漏液源Ｌ５付近で漏液を検知したという第一の警報を報知部２４から出す。引き続き、周辺に敷設されているセンサ１０４、１０８，１０９の何れかが漏液を検知した場合、処理部２１は、漏液源Ｌ５から漏液が発生していることを推定し、第二種の警報を報知部２４から出す。
【００５３】
また、図６に示すような構成を採用してもよい。図６に示すセンサ部１１０は、並列に設けられた二つのセンサ１０Ａ，１０Ｂを一つの部品として組み込んだものである。センサ（第４のセンサ）１０Ａはセンサ１０Ｂよりも漏液源Ｌ１に近い位置に配置され、センサ（第３のセンサ）１０Ｂはセンサ１０Ａよりも漏液源Ｌ１から遠い位置に配置される。例えば、漏液源Ｌ１から漏液が発生した場合、漏液源Ｌ１に近いセンサ１０Ａが先に漏液を検知し、次に、漏液源Ｌ１から遠いセンサ１０Ｂが漏液を検知する。このような関係が成り立たず、漏液源Ｌ１から遠いセンサ１０Ｂが先に漏液を検知した場合は、センサ部１１０の電極間に埃ＤＴが詰まることによって、誤検知が生じていると推定できる。従って、処理部２１は、センサ１０Ａ，１０Ｂが漏液を検知し、且つ、センサ１０Ｂが先に漏液を検知した場合、センサ１０Ａ，１０Ｂのクリーニングを行う旨の注意喚起をする。
【００５４】
センサ部１１０に埃ＤＴが詰まり、センサ１０Ｂの電極間の埃ＤＴに結露による水分が含まれた場合、センサ１０Ｂが漏液を誤検知する（図６（ｂ）参照）。センサ部１１０に更に埃ＤＴが詰まると、センサ１０Ａ，１０Ｂが両方とも漏液を誤検知する（図６（ｃ）参照）。この場合、処理部２１は、センサ１０Ａ，１０Ｂに埃ＤＴが詰まっていると推定し、センサ１０Ａ，１０Ｂの埃ＤＴを取り除くように、クリーニングを行う旨の注意喚起を報知部２４から出力する。なお、センサ部１１０を設置する場合は、ユーザーは、センサ１０Ａが漏液源Ｌ１に近くなるように設置、又は配線を行う。
【００５５】
上述の実施例では、記憶部に予め漏液源の位置情報が記憶されていたが、記憶されていなくてもよい。この場合であっても、処理部２１は、各センサの位置情報を用い、各センサでの漏液の検知に関わる時間的要素から、漏液源のおおよその位置を推定してよい。また、記憶部に予め各センサの位置情報が記憶されていたが、記憶されていなくてもよい。一例として、センサ間の距離が固定されており、当該センサが漏液源から予め設定された範囲内に配置されている場合、記憶部に予め記憶されたセンサの位置情報を用いなくともよい。
【００５６】
例えば、図７，８に示すような漏液検知器２００を採用してよい。漏液検知器２００は、センサ１０Ａ及びセンサ１０Ｂを有するセンサ部１１０を備える。センサ１０Ａとセンサ１０Ｂの位置は固定されており、互いの離間距離Ｄ１は固定された寸法である。このようなセンサ部１１０は、センサ１０Ａと漏液源Ｌ１との離間距離Ｄ２が予め定められた範囲内におさまるように配置される。このとき、センサ部１１０は、センサ１０Ａが漏液源Ｌ１側となり、且つ、予め定められた向き（漏液源Ｌ１、センサ１０Ａ及びセンサ１０Ｂが同一の基準線上に配置されるような向き）となるように配置される。また、図８に示すように、二つの漏液源Ｌ１，Ｌ２が存在する場合は、両者の中間位置にセンサ部１１０を配置する。すなわち、センサ１０Ｂと漏液源Ｌ２との離間距離Ｄ３が予め定めた範囲内であって、離間距離Ｄ２と略等しくなるように配置される。また、センサ部１１０は、漏液源Ｌ１、センサ１０Ａ、センサ１０Ｂ及び漏液源Ｌ２が、同一の基準線上に配置されるような向きに配置される。以上により、各位置関係や距離は予め固定されているため、処理部２１は、記憶部に記憶されたパラメータによらずとも、センサの周囲の漏液状況を推定することができる。
【符号の説明】
【００５７】
１，２００…漏液検知器、１０…センサ、１１…電極対、２１…処理部、２６…記憶部、３０…漏液検知部。
【図１】
2019184469.tif 000003
【図２】
2019184469.tif 000004
【図３】
2019184469.tif 000005
【図４】
2019184469.tif 000006
【図５】
2019184469.tif 000007
【図６】
2019184469.tif 000008
【図７】
2019184469.tif 000009
【図８】
2019184469.tif 000010